(57)【特許請求の範囲】
【請求項１】
電子装置を操作する操作装置であって、
前記電子装置の状態を表示する表示部と、
前記電子装置の動作を再開させる実行部と、
を有し、
前記表示部と前記実行部とは一群として設けられていて、
前記表示部は、
一群の境界を形成する円形状の第１の表示部と、
前記第１の表示部の内側に設けられた第２の表示部と、
を有し、
前記第１の表示部及び前記第２の表示部はそれぞれ、複数の表示点灯部を備え、
動作状況を検知する検知手段と、
前記検知手段の検知結果に基づいて、前記第２の表示部の表示点灯部と、前記第２の表示部の表示点灯部に対して予め定められた前記第１の表示部の表示点灯部とを点灯させるように制御する制御手段と、
をさらに有する操作装置。
【請求項２】
前記第１の表示部が有する前記複数の表示点灯部は、
複数の状態をそれぞれに表示し、
前記実行部の周囲に配置されている
請求項１記載の操作装置。
【請求項３】
前記実行部は、実行点灯部を有し、
前記制御手段は、動作を実行させる場合に、前記実行点灯部を点灯させるように制御する請求項１又は２記載の操作装置。
【請求項４】
前記電子装置の動作を停止させる停止部をさらに有し、
前記停止部は、前記表示部及び前記実行部から離れて設けられている請求項１乃至３いずれか記載の操作装置。
【請求項５】
記録媒体に画像を形成する画像形成手段と、
前記画像形成手段の状態を表示する表示部と、
前記画像形成手段の動作を再開させる実行部と、
を有し、
前記表示部と前記実行部とは一群として設けられていて、
前記表示部は、
一群の境界を形成する円形状の第１の表示部と、
前記第１の表示部の内側に設けられた第２の表示部と、
を有し、
前記第１の表示部及び前記第２の表示部はそれぞれ、複数の表示点灯部を備え、
動作状況を検知する検知手段と、
前記検知手段の検知結果に基づいて、前記第２の表示部の表示点灯部と、前記第２の表示部の表示点灯部に対して予め定められた前記第１の表示部の表示点灯部とを点灯させるように制御する制御手段と、
をさらに有する画像形成装置。
【発明の詳細な説明】
【技術分野】
【０００１】
本発明は、操作装置及び画像形成装置に関する。
【背景技術】
【０００２】
特許文献１には、画像形成装置のフロント側に配置し、制御情報を入力するための操作パネルであって、操作パネルを使用頻度の高い出力手段に伴うボタン類と、使用頻度の低いボタン類とに分けて２つのパネルに各々分割して設け、２つのパネルの一方を固定位置に設け、他方を固定位置のパネルと重なる位置と横に並べる位置との間を移動可能な移動パネルとして構成し、移動パネルを停止させる位置で、パネルの信号経路を画像形成装置本体に接続可能とした操作パネルが開示されている。
【０００３】
特許文献２には、複数の操作釦のグループ化により１つのブロックが形成されてなる複数の操作ブロックと、これら操作ブロックが形成されたパネル本体とを備え、パネル本体の１つの操作ブロックを機能モード選択用として表示部と共に選択／実行釦を配設した操作パネルが開示されている。
【先行技術文献】
【特許文献】
【０００４】
【特許文献１】特許第４０７８８７２号公報
【特許文献２】特開平８−１８１４６１号公報
【発明の概要】
【発明が解決しようとする課題】
【０００５】
本発明は、操作間違いを防止することができる操作装置、及び画像形成装置を提供することを目的とする。
【課題を解決するための手段】
【０００６】
請求項１に係る本発明は、電子装置を操作する操作装置であって、前記電子装置の状態を表示する表示部と、前記電子装置の動作を再開させる実行部と、前記電子装置の動作を停止させる停止部と、を有し、前記表示部と前記実行部とは一群として設けられ、前記停止部は、前記表示部及び前記実行部から離れて設けられている操作装置である。
【０００７】
請求項２に係る本発明は、前記表示部は、複数の状態をそれぞれ表示する複数の点灯部を有し、前記複数の点灯部は、前記実行部の周囲に配置されている請求項１記載の操作装置である。
【０００８】
請求項３に係る本発明は、前記表示部は、一群の境界を形成する円形状の第１の表示部と、前記第１の表示部の内側に設けられた第２の表示部と、を有する請求項１又は２記載の操作装置である。
【０００９】
請求項４に係る本発明は、前記第１の表示部及び前記第２の表示部はそれぞれ、複数の表示点灯部を備え、動作状況を検知する検知手段と、前記検知手段の検知結果に基づいて、前記第２の表示部の表示点灯部と、当該第２の表示部の表示点灯部に対して予め定められた前記第１の表示部の表示点灯部とを点灯させるように制御する制御手段と、をさらに有する請求項３記載の操作装置である。
【００１０】
請求項５に係る本発明は、前記実行部は、実行点灯部を有し、前記制御部は、動作を実行させる場合に、前記実行点灯部を点灯させるように制御する請求項４記載の操作装置である。
【００１１】
請求項６に係る本発明は、記録媒体に画像を形成する画像形成手段と、前記画像形成手段の状態を表示する表示部と、前記画像形成手段の動作を再開させる実行部と、前記画像形成手段の動作を停止させる停止部と、を有し、前記表示部と前記実行部とは一群として設けられ、前記停止部は、前記表示部及び前記実行部から離れて設けられている画像形成装置である。
【発明の効果】
【００１２】
請求項１に係る本発明によれば、操作間違いを防止することができる。
【００１３】
請求項２に係る本発明によれば、請求項１に係る本発明の効果に加え、本構成を有さない場合と比較して、より一層、操作間違いを防止することができる。
【００１４】
請求項３に係る本発明によれば、請求項１又は２に係る本発明の効果に加え、本構成を有さない場合と比較して、表示装置の占める範囲を低減することができる。
【００１５】
請求項４に係る本発明によれば、請求項３に係る本発明の効果に加え、動作状況を階層分けして表すことができる。
【００１６】
請求項５に係る本発明によれば、請求項４に係る本発明の効果に加え、本構成を有さない場合と比較して、より一層、操作間違いを防止することができる。
【００１７】
請求項６に係る本発明によれば、操作間違いを防止することができる。
【図面の簡単な説明】
【００１８】
【図１】本発明の実施形態に係る画像形成装置を示す斜視図である。
【図２】本発明の実施形態に係る画像形成装置を側面から示す断面図である。
【図３】本発明の実施形態に係る操作装置の概略図である。
【図４】図３のＡ−Ａ線断面図である。
【図５】本発明の実施形態に係る画像形成装置の機能構成のブロック図である。
【図６】記録媒体切れが生じた際の表示装置の動作を説明する説明図である。
【図７】収容容器に収容されているトナーがなくなる際の表示装置の動作を説明する説明図である。
【発明を実施するための形態】
【００１９】
本発明の実施形態について図面を参照して説明する。
図１は、本発明の一実施形態としての画像形成装置１０の斜視図を示す。
【００２０】
画像形成装置１０は筺体１２を有し、この筺体１２の上部は、画像の形成された記録媒体が排出される排出部１４として用いられる。
筺体１２の前側には、操作装置１６が設けられている。
【００２１】
筺体１２には、装着用開閉部２２と給紙用開閉部２４とがそれぞれこの筺体１２に対して開閉自在に設けられている。筺体１２内には、収容容器３０Ｙ、３０Ｍ、３０Ｃ、３０Ｋが装着される装着装置３２が設けられている。
【００２２】
装着用開閉部２２は、像形成剤収容容器として用いられる収容容器３０Ｙ、３０Ｍ、３０Ｃ、３０Ｋを筺体１２内に装着する際、あるいは、収容容器３０Ｙ、３０Ｍ、３０Ｃ、３０Ｋを筺体１２内から取り外す際に開かれる。また、装着用開閉部２２は、画像形成を行う際に閉じられる。
なお、本実施形態においては、装着用開閉部２２の開閉は、筺体１２の後方を支点として回転させる構成（装着用開閉部２２の短辺側に支点を形成する構成）であるが、これに限らず、筺体１２の側方を支点として回転させる構成（装着用開閉部２２の長辺側に支点を形成する構成）としてもよい。
【００２３】
給紙用開閉部２４は、筺体１２の前側から記録媒体を供給する際に開かれる。
【００２４】
収容容器３０Ｙ、３０Ｍ、３０Ｃ、３０Ｋにはそれぞれ、像形成剤として用いられるイエロー（Ｙ）、マゼンダ（Ｍ）、シアン（Ｃ）、黒（Ｋ）のトナーが収容されている。
収容容器３０Ｙ、３０Ｍ、３０Ｃはそれぞれ、形状及び大きさが同様に構成されており、略同一の容積のトナーを収容するようになっている。
収容容器３０Ｋは、収容容器３０Ｙ、３０Ｍ、３０Ｃよりも縦長に構成され、これら収容容器３０Ｙ、３０Ｍ、３０Ｃよりも体積が大きく、これら収容容器３０Ｙ、３０Ｍ、３０Ｃよりも収容するトナーの容積が大きくなるようになっている。
【００２５】
収容容器３０Ｙ、３０Ｍ、３０Ｃと収容容器３０Ｋとは、収容できるトナーの容積が異なるものの、有する部材及び機能は同一に構成されている。
【００２６】
図２は、画像形成装置１０の側面からの断面図を示す。
筺体１２内には、像形成部４０と、この像形成部４０に記録媒体を供給する記録媒体供給装置４２と、記録媒体の搬送に用いられる搬送路４４が設けられている。
像形成部４０、記録媒体供給装置４２、及び搬送路４４によって、記録媒体に画像を形成する画像形成手段が構成される。
【００２７】
像形成部４０は、例えば４個の像形成ユニット５２Ｙ、５２Ｍ、５２Ｃ、５２Ｋと、潜像形成装置５４と、転写装置５６とにより構成される。像形成ユニット５２Ｙ、５２Ｍ、５２Ｃ、５２ＫはそれぞれＹ、Ｍ、Ｃ、Ｋのトナーを用いて現像剤像を形成する。
以下、各色に対応するＹ、Ｍ、Ｃ、Ｋを省略して「像形成ユニット５２」のように総称する場合がある。各色に対応する他の構成（収容容器３０、感光体ドラム６２等）についても同様とする。
【００２８】
像形成ユニット５２はそれぞれ、像保持体として用いられる感光体ドラム６２と、この感光体ドラム６２を帯電する帯電装置６４と、潜像形成装置５４によって感光体ドラム６２の表面に形成された静電潜像を、トナーを用いて現像してトナー像を形成する現像装置６６と、感光体ドラム６２の表面をクリーニングするクリーニング装置６８を有する。
【００２９】
現像装置６６にはそれぞれ、収容容器３０から対応する色のトナーが供給される。
【００３０】
転写装置５６は、転写媒体として用いられるベルト状の中間転写体７２と、１次転写装置として用いられる１次転写ロール７４Ｙ、７４Ｍ、７４Ｃ、７４Ｋと、２次転写装置として用いられる２次転写ロール７６と、中間転写体７２の表面をクリーニングするクリーニング装置７８と、を有する。
【００３１】
中間転写体７２は、感光体ドラム６２それぞれに形成されたトナー像が重ねられるようにして転写される。中間転写体７２は、支持部材として用いられる例えば４つの支持ロール８２ａ、８２ｂ、８２ｃ、８２ｄによって回転自在に支持されている。
【００３２】
１次転写ロール７４Ｙ、７４Ｍ、７４Ｃ、７４Ｋはそれぞれ、感光体ドラム６２Ｙ、６２Ｍ、６２Ｃ、６２Ｋに形成された各色に対応するトナー像を、中間転写体７２に転写する。
【００３３】
２次転写ロール７６は、中間転写体７２に転写された各色のトナー像を、記録媒体に転写する。
【００３４】
記録媒体供給装置４２は、例えば記録媒体を積層した状態で収納する記録媒体収納容器９２と、この記録媒体収納容器９２に収納された最上位の記録媒体を抽出する抽出ロール９４と、この抽出ロール９４で抽出された記録媒体を像形成部４０に向けて搬送する搬送ロール９６と、この搬送ロール９６に接触し、搬送ロール９６との間で記録媒体を分離する分離ロール９８と、を有する。
【００３５】
記録媒体収納容器９２は、例えば筺体１２の前側（図２における左側）に引き出せるようになっており、この筺体１２から引き出された状態で記録媒体が補充される。
【００３６】
搬送路４４は、主搬送路１００と、反転搬送路１０２と、補助搬送路１０４とにより構成される。
【００３７】
主搬送路１００は、記録媒体供給装置４２から供給された記録媒体を排出部１４に向けて搬送する搬送路である。主搬送路１００には、記録媒体の搬送方向上流側から順に、レジストロール１１２と、２次転写ロール７６と、定着装置１１４と、排出ロール１１６とが配置されている。
【００３８】
レジストロール１１２は、停止した状態から所定のタイミングで回転を開始し、中間転写体７２にトナー像が転写されるタイミングに合致するように、記録媒体を中間転写体７２と２次転写ロール７６との接触部に供給する。
【００３９】
定着装置１１４は、転写装置５６によりトナー像が転写された記録媒体にこのトナー像を定着させる。
【００４０】
排出ロール１１６は、定着装置１１４によってトナー像が定着された記録媒体を排出部１４に排出する。また、排出ロール１１６は、記録媒体の両面に画像を形成する場合、排出部１４に記録媒体を排出するときとは反対方向に回転し、一方の面に画像が形成された記録媒体を、後端側から反転搬送路１０２へ搬送する。
【００４１】
反転搬送路１０２は、一方の面に画像が形成された記録媒体を反転させるとともに、再度、レジストロール１１２の上流側に向けて搬送する。反転搬送路１０２には、例えば２つの反転搬送ロール１１８ａ、１１８ｂが配置されている。
【００４２】
補助搬送路１０４は、給紙用開閉部２４が筺体１２に対して開かれた状態において、この筺体１２の前側から記録媒体を供給する際に用いられる。補助搬送路１０４には、レジストロール１１２に向けて記録媒体を搬送する補助搬送ロール１２０と、この補助搬送ロール１２０に接触し記録媒体を分離する分離ロール１２２とが配置されている。
【００４３】
筺体１２内には、収容容器３０の装着の有無及び収容されているトナーの量を検知する像形成剤検知器１３２と、記録媒体収納容器９２に収納されている記録媒体の有無を検知する記録媒体検知器１３４と、搬送路４４における記録媒体の搬送異常（例えばジャム等）を検知する搬送検知器１３６と、が設けられている。
【００４４】
像形成剤検知器１３２、記録媒体検知器１３４、及び搬送検知器１３６は、画像形成手段の動作状況を検知する検知手段を構成する。
【００４５】
また、筺体１２内には、レジストロール１１２等の記録媒体を搬送する部材や現像装置６６等の像形成部４０を構成する部材を駆動する駆動装置１３８と、画像形成装置１０を構成する各部を制御する制御手段として用いられる制御装置１４０が設けられている。
【００４６】
制御部１４０には、像形成剤検知器１３２、記録媒体検知器１３４、及び搬送検知器１３６から、それぞれが検知した検知結果が通知されるようになっている。
【００４７】
本実施形態において、画像形成装置１０の装置状態には、異常状態、休止状態、及び通常状態がある。
異常状態は、正常に画像を形成できない状態である。具体的には、収容容器３０が装着されていない、もしくは、収容容器３０に収容されているトナーがない場合、記録媒体収納容器９２に収納されている記録媒体がない場合、又は、記録媒体の搬送途中に詰まりが生じた場合等である。
休止状態は、画像形成装置１０が消費電力を節約するために休止している状態（スリープモード）である。
通常状態は、異常状態及び休止状態いずれでもなく、正常に記録媒体に画像を形成することができる状態である。
なお、装置状態はこれに限らず、使用態様に合わせて適宜変更することができる。
【００４８】
次に、操作装置１６の詳細について説明する。
図３は、操作装置１６の概略図を示す。図４は、図３のＡ−Ａ断面図を示す。
【００４９】
操作装置１６は、表示部１５０と、実行部として用いられる実行押下部１５２と、停止部として用いられる停止押下部１５４と、により構成される。
【００５０】
表示部１５０は、円形状（リング状）に形成された第１の表示部としての外側表示部１６０と、この外側表示部１６０の内側に形成された第２の表示部としての内側表示部１７０とを有する。
【００５１】
外側表示部１６０には、第１の点灯部１６２と、第２の点灯部１６４と、第３の点灯部１６６と、が設けられている。
【００５２】
第１の点灯部１６２は、画像形成装置１０が通常状態の場合に点灯するようになっている。
第２の点灯部１６４は、画像形成装置１０が休止状態の場合に点灯するようになっている。
第３の点灯部１６６は、画像形成装置１０が異常状態の場合に点灯するようになっている。
【００５３】
内側表示部１７０には、外側表示部１６０に設けられた点灯部（本実施形態においては３つ）よりも多く（本実施形態においては９つ）の点灯部が設けられている
【００５４】
内側表示部１７０の点灯部は、外側表示部１６０の点灯部により示される装置状態における各部の動作の状況を示すように、文字や図形等の形状に形成されている。
すなわち、内側表示部１７０の点灯部は、外側表示部１６０の点灯部が示す装置状態よりも詳細な動作状況を示すようになっている。
【００５５】
本実施形態において、画像形成装置１０の各部の動作状況とは、正常にトナーが供給されているか（収容容器３０が装着されているか、もしくは、収容容器３０にトナーが収容されているか）、記録媒体収納容器９２に記録媒体が収納されているか、又は、正常に記録媒体が搬送されているか等、これらの状況を示す。
なお、動作状況はこれに限らず、使用態様に合わせて適宜変更することができる。
【００５６】
内側表示部１７０は、第１の点灯部１６２に対応する第１の領域１７２と、第２の点灯部１６４に対応する第２の領域１７４と、第３の点灯部１６６に対応する第３の領域１７６とに区分される。
【００５７】
具体的には、第１の領域１７２に配置された点灯部が点灯する場合には、第１の点灯部１６２が点灯し、第２の領域１７４に配置された点灯部が点灯する場合には、第２の点灯部１６４が点灯し、第３の領域１７６に配置された点灯部が点灯する場合には、第３の点灯部１６６が点灯するように設定されている。
このように、内側表示部１７０の点灯部それぞれについて、対応して点灯する外側表示部１６０の点灯部（第１の点灯部１６２、第２の点灯部１６４、及び第３の点灯部１６６のいずれか）が設定されている。
【００５８】
第１の領域１７２、第２の領域１７４、第３の領域１７６はそれぞれ、対応する第１の点灯部１６２、第２の点灯部１６４、第３の点灯部１６６の近傍や同一直線上等に配置されている。このため、本構成を有さない場合と比較して、内側表示部１７０の点灯部と外側表示部１６０の点灯部とを関連付けて利用者に想起させ易くなっている。
【００５９】
第１の領域１７２には、点灯部として、画像形成装置１０が通常状態の場合に点灯する通常状態点灯部１８２が配置されている。
【００６０】
第２の領域１７４には、点灯部として、画像形成装置１０が休止状態の場合に点灯する休止状態点灯部１８４が配置されている。
【００６１】
第３の領域１７６には、点灯部として、画像形成装置１０が異常状態の場合に点灯する異常発生点灯部１８６が配置されている。
また、第３の領域１７６には、記録媒体収納容器９２に収納されている記録媒体がない場合に点灯する記録媒体切れ点灯部１８８と、記録媒体の搬送に異常が発生した場合（例えばジャム等）に点灯する搬送異常点灯部１９０と、収容容器３０Ｙ、３０Ｍ、３０Ｃ、３０Ｋからのトナーの供給に異常が発生した場合に点灯する像形成剤異常点灯部１９２Ｙ、１９２Ｍ、１９２Ｃ、１９２Ｋと、が配置されている。
【００６２】
像形成剤異常点灯部１９２Ｙ、１９２Ｍ、１９２Ｃ、１９２Ｋはそれぞれ、対応する収容容器３０Ｙ、３０Ｍ、３０Ｃ、３０Ｋが装着されていない場合、及び、収容されているトナーがなくなった場合に点灯し、収容されているトナーの残量が少なくなった場合（例えば、残量が最大収容量の２０％よりも少なくなった場合）に点滅するようになっている。
なお、利用者の利便性のため、像形成剤異常点灯部１９２Ｙ、１９２Ｍ、１９２Ｃ、１９２Ｋそれぞれの近傍に、対応する色で形成した印を付すようにしてもよい。
【００６３】
記録媒体切れ点灯部１８８、搬送異常点灯部１９０、及び像形成剤異常点灯部１９２Ｙ、１９２Ｍ、１９２Ｃ、１９２Ｋは、外側表示部１６０の点灯部よりも異常状態の内容を具体的に表す。
このように、表示部１５０は、画像形成装置１０の動作状況を階層に分けて（本実施形態においては２段階構造）一体に表示するようになっている。
【００６４】
図４に示すように、第１の点灯部１６２は、例えばＬＥＤ（Light Emitting Diode）等の光源１６２ａと、透明な材質からなり光を透過する透過部１６２ｂとにより構成されている。透過部１６２ｂは、凸状に形成されている。
外側表示部１６０の第２の点灯部１６４及び第３の点灯部１６４は、第１の点灯部１６２と同様に構成されている。
【００６５】
通常状態点灯部１８２は、例えばＬＥＤ等の光源１８２ａと、透明な材質からなり光を透過する透過部１８２ｂとにより構成されている。
内側表示部１７０の休止状態点灯部１８４、異常発生点灯部１８６、記録媒体切れ点灯部１８８、搬送異常点灯部１９０、及び像形成剤異常点灯部１９２Ｙ、１９２Ｍ、１９２Ｃ、１９２Ｋは、通常状態点灯部１８２と同様に構成されている。
【００６６】
外側表示部１６０の点灯部の透過部（透過部１６２ｂ等）は、内側表示部１７０の点灯部の透過部（透過部１８２ｂ等）よりも高くなる（突出する）ようになっている。このため、本構成を有さない場合と比較して、外側表示部１６０の表示は、内側表示部１７０の表示よりも、利用者が視認し易くなっている。
【００６７】
例えば、表示部１５０は、遠くからは外側表示部１６０の点灯のみを視認でき内側表示部１７０の点灯を視認できないが、近くからは外側表示部１６０及び内側表示部１７０の点灯を視認できるようになっている。
【００６８】
なお、外側表示部１６０と内側表示部１７０とで光の強さや色等を異ならせ、外側表示部１６０の表示を内側表示部１７０の表示よりも視認し易くするようにしてもよい。
【００６９】
実行押下部１５２は、表示部１５０の内側表示部１７０の内側に配置され、表示部１５０と一体に構成されている。表示部１５０と実行押下部１５２によって、外側表示部１６０を境界とする一群が形成される。
【００７０】
実行押下部１５２は、画像形成装置１０を構成する各部に動作を実行させるものであり、例えば、異常状態から通常状態にするための準備動作（復旧動作）を実行する際に押下げられる。
準備動作とは、例えば、記録媒体収納容器９２に記録媒体を補充した後、記録媒体を所望の位置に搬送（フィード）する動作や、収容容器３０を装着した後、トナーを現像装置６６に補充する動作等を示す。
【００７１】
実行押下部１５２には、実行点灯部２０２が配置されており、この実行点灯部２０２は、準備動作の実行を要求する際に点灯するようになっている。
実行点灯部２０２は、例えばＬＥＤ等の光源２０２ａと、透明な材質からなり光を透過する透過部２０２ｂとにより構成されている。
【００７２】
実行押下部１５２には、利用者が押下げる押下部材２０４と、この押下部材２０４を上方に付勢するばね等の付勢部材２０６と、押下部材２０４と一体に設けられた接触部材２０８と、制御部１４０に接続された指示部材（スイッチ）２１０とが設けられている。
利用者が押下部材２０４を押下げると、付勢部材２０６の付勢力に抗して、接触部材２０８が指示部材２１０を押し込むようになっている。実行押下部１５２は、指示部材２１０が接触部材２０８に押し込まれることで、制御装置１４０が駆動装置１３８及び表示部１５０に所望の動作を実行させる構成となっている。
【００７３】
停止押下部１５４は、表示部１５０及び実行押下部１５２とは別体として設けられている。すなわち、停止押下部１５４は、表示部１５０及び実行押下部１５２の一群とは離間した位置に配置されている。
停止押下部１５４は、画像形成装置１０を構成する各部の動作を停止させるものであり、例えば画像形成途中に画像の形成を停止する際に押下げられる。
【００７４】
次に、画像形成装置１０の機能構成について説明する。
図５は、画像形成装置１０の機能構成のブロック図を示す。
【００７５】
制御装置１４０は、実行押下部１５２又は停止押下部１５４が押下げられるとそれに基づいて、駆動装置１３８を動作・停止、あるいは、対応する動作状況を表示するように表示部１５０を制御する。
また、制御装置１４０は、像形成剤検知器１３２、記録媒体検知器１３４、又は搬送検知器１３６の検知結果に基づいて、対応する状態を表示するように表示部１５０を制御する。
【００７６】
次に、操作装置１６の動作について説明する。
【００７７】
まず、一例として記録媒体収納容器９２に収容されている記録媒体がなくなる際の動作について説明する。
図６は、記録媒体がなくなる際の表示部１５０の動作を示す。
【００７８】
記録媒体収納容器９２に記録媒体が収納されている場合（通常状態）、制御装置１４０は、表示部１５０の内側表示部１７０の通常状態点灯部１８２と、この通常状態点灯部１８２に対して設定された通常状態を示す外側表示部１６０の第１の点灯部１６２とを点灯させる（図６（ａ））。
【００７９】
記録媒体収納容器９２に収納されている記録媒体がなくなった場合、記録媒体検知器１３４は記録媒体がないことを検知し、その旨を制御装置１４０に通知する。
制御装置１４０は、記録媒体検知器１３４から記録媒体がない旨の検知結果を受けると、内側表示部１７０の異常発生点灯部１８６及び記録媒体切れ点灯部１８８と、この異常発生点灯部１８６に対して設定された異常状態を示す外側表示部１６０の第３の点灯部１６６とを点灯させる（図６（ｂ））。
【００８０】
記録媒体収納容器９２に記録媒体が補充されると、記録媒体検知器１３４は記録媒体があることを検知し、その旨を制御装置１４０に通知する。
制御装置１４０は、記録媒体検知器１３４から記録媒体がある旨の検知結果を受けると、内側表示部１７０の異常発生点灯部１８６及び記録媒体切れ点灯部１８８と、外側表示部１６０の第３の点灯部１６６との点灯に加え、実行押下部１５２の実行点灯部２０２を点灯させる（図６（ｃ））。
この場合において、実行押下部１５２が押下げられると、制御装置１４０は準備動作を実行するように駆動装置１３８を制御する。
【００８１】
準備動作が完了すると、画像形成装置１０は通常状態となり、制御装置１４０は、内側表示部１７０の通常状態点灯部１８２と、この通常状態点灯部１８２に対して設定された通常状態を示す外側表示部１６０の第１の点灯部１６２とを点灯させる（図６（ｄ））。
【００８２】
次いで、一例として収容容器３０Ｍに収容されているトナーがなくなる際の動作について説明する。
図７は、収容容器３０Ｍに収容されているトナーがなくなる際の表示部１５０の動作を示す。
【００８３】
収容容器３０Ｍにトナーが十分に（例えば最大収容量の２０％以上）収容されている場合（通常状態）、制御装置１４０は、表示部１５０の内側表示部１７０の通常状態点灯部１８２と、この通常状態点灯部１８２に対して設定された通常状態を示す外側表示部１６０の第１の点灯部１６２と、を点灯させる（図７（ａ））。
【００８４】
収容容器３０Ｍに収容されているトナーの残量が少なくなった場合（例えば、残量が最大収容量の２０％よりも少なくなった場合）、像形成剤検知器１３２はトナーが少なくなっていることを検知し、その旨を制御装置１４０に通知する。
制御装置１４０は、像形成剤検知器１３２からトナーが少なくなっている旨の検知結果を受けると、内側表示部１７０の通常状態点灯部１８２と、外側表示部１６０の第１の点灯部１６２との点灯に加え、像形成剤異常点灯部１９２Ｍを点滅させる（図７（ｂ））。
【００８５】
収容容器３０Ｍに収容されているトナーがなくなった場合、像形成剤検知器１３２はトナーがないことを検知し、その旨を制御装置１４０に通知する。
制御装置１４０は、像形成剤検知器１３２からトナーがない旨の検知結果を受けると、内側表示部１７０の異常発生点灯部１８６及び像形成剤異常点灯部１９２Ｍと、この異常発生点灯部１８６に対して設定された異常状態を示す外側表示部１６０の第３の点灯部１６６とを点灯させる（図７（ｃ））。
【００８６】
収容容器３０Ｍにトナーが補充（新たな収容容器３０Ｍが装着）されると、像形成剤検知器１３２はトナーがあることを検知し、その旨を制御装置１４０に通知する。
制御装置１４０は、記録媒体検知器１３４から記録媒体がある旨の検知結果を受けると、内側表示部１７０の異常発生点灯部１８６及び像形成剤異常点灯部１９２Ｍと、外側表示部１６０の第３の点灯部１６６との点灯に加え、実行押下部１５２の実行点灯部２０２を点灯させる（図７（ｄ））。
この場合において、実行押下部１５２が押下げられると、制御装置１４０は準備動作を実行するように駆動装置１３８を制御する。
【００８７】
準備動作が完了すると、画像形成装置１０は通常状態となり、制御装置１４０は、内側表示部１７０の通常状態点灯部１８２と、この通常状態点灯部１８２に対して設定された通常状態を示す外側表示部１６０の第１の点灯部１６２とを点灯させる（図７（ａ））。
【００８８】
上記実施形態においては、表示部１５０の外側表示部１６０がリング状である場合について説明したが、これに限らず、四角形等、他の形状であってもよい。また、外側表示部１６０や内側点灯部１７０の点灯部の数や形状、内容等は、用途に合わせて適宜変更することができる。
【符号の説明】
【００８９】
１０    画像形成装置
１６    操作装置
３０    収容容器
４０    像形成部
４２    記録媒体供給装置
４４    搬送路
９２    記録媒体収納容器
１３２    像形成剤検知器
１３４    記録媒体検知器
１３６    搬送検知器
１５０    表示装置
１５２    実行押下部
１５４    停止押下部
１６０    外側表示部
１７０    内側表示部
１８２    通常状態点灯部
１８４    休止状態点灯部
１８６    異常発生点灯部
１８８    記録媒体切れ点灯部
１９０    搬送異常点灯部
２０２    実行点灯部
【図１】
0005626640.tif 000002
【図２】
0005626640.tif 000003
【図３】
0005626640.tif 000004
【図４】
0005626640.tif 000005
【図５】
0005626640.tif 000006
【図６】
0005626640.tif 000007
【図７】
0005626640.tif 000008